(57)【要約】【課題】野菜の鮮度を保つための高湿を維持しながら、収納容器内部の結露を防止する冷蔵庫を提供する。【解決手段】貯蔵室と、貯蔵室内に設けられた収納容器と、貯蔵室内にミストを噴霧するミスト噴霧手段１６７とを有し、収納容器の上面に蓋１６６を設けるとともに貯蔵室吐出口１４５から流出した冷気が収納容器の背面壁に直接当たらないように貯蔵室吐出口を収納容器の背面壁に対向しないように配置する。  これによって、貯蔵室内にミストを噴霧するミスト噴霧手段１６７を備えて収納容器内部が高湿になった場合でも、収納容器内外の温度差を抑えることができるので、収納容器内部の結露を防ぐことができる。【選択図】図１
2011069598.tif 000002
【特許請求の範囲】
【請求項１】
冷蔵庫本体は貯蔵室と、前記貯蔵室内へ冷気を導入する貯蔵室吐出口と、前記貯蔵室の前面開口部を閉塞する扉と、前記貯蔵室内に設けられた収納容器と、前記貯蔵室内にミストを噴霧するミスト噴霧手段とを有し、前記貯蔵室吐出口を前記収納容器の背面壁に対向しない位置に配置した冷蔵庫。
【請求項２】
貯蔵室吐出口から流出した冷気を収納容器の背面壁とほぼ平行に上から下に吐出させた請求項１に記載の冷蔵庫。
【請求項３】
貯蔵室吐出口から流出した冷気を収納容器の背面壁とほぼ平行に左側方向から右側方面に吐出させた請求項２に記載の冷蔵庫。
【請求項４】
貯蔵室吐出口から流出した冷気を収納容器の背面壁とほぼ平行に右側方向から左側方面に吐出させた請求項２に記載の冷蔵庫。
【請求項５】
貯蔵室吐出口から流出した冷気を収納容器と逆方向に吐出させた請求項１に記載の冷蔵庫。
【請求項６】
貯蔵室吐出口から流出した冷気を収納容器に直接当たらないように収納容器の外側に防護壁を備えた請求項１に記載の冷蔵庫。
【請求項７】
貯蔵室吐出口から流出した冷気が、収納容器の下を通り、貯蔵室の上部に設置された貯蔵室吸込風路から排出させるようにした請求項１に記載の冷蔵庫。
【請求項８】
冷蔵庫本体は貯蔵室と、貯蔵室の上側に位置する第２の貯蔵室と、前記貯蔵室と前記第２の貯蔵室をつなぎ前記第２の貯蔵室から前記貯蔵室へ冷気を送る風路と、前記貯蔵室へ冷気を導入する貯蔵室吐出口と、前記第２の貯蔵室から冷気を排出する吸込口と、前記第２の貯蔵室内に設けられた収納容器と、前記第２の貯蔵室内にミストを噴霧するミスト噴霧手段とを有し、前記第２の貯蔵室吐出口を前記収納容器の背面壁に対向しないように配置した冷蔵庫。
【請求項９】
貯蔵室吐出口から流出した冷気が、収納容器の下を通り、貯蔵室の上部に設置された貯蔵室吸込風路から排出させるようにした請求項８に記載の冷蔵庫。
【発明の詳細な説明】
【技術分野】
【０００１】
本発明は多湿に維持された貯蔵室を備える冷蔵庫に関するものである。
【背景技術】
【０００２】
野菜の鮮度低下への影響因子としては、温度、湿度、環境ガス、微生物、光などが挙げられる。野菜は生き物であり、呼吸と蒸散作用が行われており、鮮度を維持するには呼吸と蒸散作用の抑制が必要となる。低温障害を起こす野菜など一部の野菜を除き、多くの野菜は低温で呼吸が抑制され、高湿により蒸散を防止することができる。近年、家庭用冷蔵庫では野菜の保存を目的とし、密閉された野菜専用容器が設けられ、野菜を適正な温度に冷却するとともに、庫内を高湿化し、野菜の蒸散を抑制するよう構成されているものがある。
【０００３】
従来、この種の庫内を高湿に保つために、貯蔵室内に直接冷気を入れずに冷却する方式をとっている冷蔵庫がある。また、野菜室の天井部、背面部、床面部のいずれかに多孔質の親水性に優れた透湿板を用いることにより、透湿板からの水分放出により高湿化に保とうとするものがあり、また、貯蔵室内の天井部、背面部、床面部のいずれかに金属製の材質を用いることで輻射冷却により貯蔵室内の温度変動を抑えようとし、それにより貯蔵室内の結露を防止しようとする冷蔵庫がある。（例えば、特許文献１）
図１２は、特許文献１に記載された従来の野菜室構造図の側面断面図である。
【０００４】
図１２に示すように、冷却室３の冷気４を循環させるファン２、野菜室３００を冷却する冷却室と野菜室との仕切り部品１４及び製氷室切り替え室と野菜室との仕切り部品１５及び冷凍室と野菜室との仕切り部品１６に設けられた野菜室冷却用風路５、冷蔵室様帰還路８、野菜室用帰還路９、１３は各仕切り部品から野菜室内を冷却する輻射冷却、２０は各仕切り部品内で断熱を行う断熱材である。
【０００５】
野菜室３００の背面には冷却器室３と野菜室との断熱および野菜室冷却用風路５を設けた仕切り部品１４が冷蔵庫に組み込んであり、同様に野菜室天面には製氷室および切替室と野菜室との断熱および野菜室冷却用風路を設けた仕切り部品１５、野菜室床面には冷凍室と野菜室との断熱および野菜室冷却用風路５を設けた仕切り部品１６にて構成されている。冷却器室３で冷却された冷気４はファン２によって冷蔵室１００に循環される。野菜室３００は冷蔵室１００の戻り冷気を冷蔵室用帰還路８より循環させ冷却される。
【０００６】
そして、野菜室用帰還路９より冷却器室３に戻される。このとき野菜室内に戻り冷気を直接吹き込まずに野菜室天井、背面、床面のすべてもしくはいずれかに設置してある野菜室冷却用風路５に冷気を流して野菜室内を輻射冷却１３している。
【０００７】
各仕切り部品１４、１５、１６はプラスチックの外皮の中に野菜室３００側に野菜室冷却用風路が、反対側に断熱材２０が設けられ、野菜室の上下のほかの冷凍室などから冷熱が伝わるのを防止している。
【０００８】
また、野菜室の天井部、背面部、床面部の全て、もしくはいずれかに多孔質の親水性に優れた透湿板を用いることによりその透湿板からの水分放射にてさらに野菜室を高湿化することができ、食品の長期保管が可能となる。また、野菜室冷却用風路または野菜室の上面部、下面部、背面部の全て、もしくはいずれか一つの面を金属性の材質を用いることで、輻射冷却により野菜室内の温度変動を抑えることが出来、野菜室の結露を防止している。
【先行技術文献】
【特許文献】
【０００９】
【特許文献１】特開２００３−２８５５５号公報
【発明の概要】
【発明が解決しようとする課題】
【００１０】
上記従来の構成では、野菜の鮮度を保つための高湿を維持しながら結露を防止するためには、野菜室内の天井部、背面部、床面部のいずれかに多孔質の親水性に優れた透湿板や金属製の材質からなる金属板を用いることが必要であったが、金属製の材質からなる金属板や多孔質の親水性に優れた透湿板は高価な部材であるという課題があった、
本発明は、上記従来の課題を解決するもので、貯蔵室内を高湿に保ちながら、高価な部材を用いることなく結露を防止することを目的とする。
【課題を解決するための手段】
【００１１】
上記従来の課題を解決するために、本発明の冷蔵庫は、冷蔵庫本体は貯蔵室と、前記貯蔵室内へ冷気を導入する貯蔵室吐出口と、前記貯蔵室の前面開口部を閉塞する扉と、前記貯蔵室内に設けられた収納容器と、前記貯蔵室内にミストを噴霧するミスト噴霧手段とを有し、前記貯蔵室吐出口を前記収納容器の背面壁に対向しないように配置したものである。
【００１２】
これによって、貯蔵室吐出口から流出した冷気が収納容器の背面壁に直接当たらずに、庫内に冷気が拡散することで、収納容器内部の温度差を抑え、野菜室内部が結露しにくくすることができる。
【発明の効果】
【００１３】
本発明の冷蔵庫は、収納容器内を微細ミストで十分に加湿し、野菜の鮮度を維持しながら、容器内の結露を防止することができる。
【図面の簡単な説明】
【００１４】
【図１】本発明の実施の形態１と実施の形態６における冷蔵庫貯蔵室の縦断面図
【図２】本発明の実施の形態１と実施の形態６における冷蔵庫貯蔵室の正面図
【図３】本発明の実施の形態２における冷蔵庫貯蔵室の縦断面図
【図４】本発明の実施の形態２における冷蔵庫貯蔵室の正面図
【図５】本発明の実施の形態２における冷蔵庫貯蔵室の正面図
【図６】本発明の実施の形態３における冷蔵庫貯蔵室の縦断面図
【図７】本発明の実施の形態４における冷蔵庫貯蔵室の縦断面図
【図８】本発明の実施の形態５における冷蔵庫貯蔵室の縦断面図
【図９】本発明の実施の形態５における冷蔵庫貯蔵室の縦断面図
【図１０】本発明の実施の形態７と実施の形態８における冷蔵庫貯蔵室の縦断面図
【図１１】本発明の実施の形態７と実施の形態８における冷蔵庫貯蔵室の縦断面図
【図１２】従来の冷蔵庫野菜室構造図の側面断面図
【発明を実施するための形態】
【００１５】
第１の発明は、冷蔵庫本体は貯蔵室と、前記貯蔵室内へ冷気を導入する貯蔵室吐出口と、前記貯蔵室の前面開口部を閉塞する扉と、前記貯蔵室内に設けられた収納容器と、前記貯蔵室内にミストを噴霧するミスト噴霧手段とを有し、前記貯蔵室吐出口を前記収納容器の背面壁に対向しないように配置したものである。
【００１６】
これによって、前記貯蔵室吐出口から流出した冷気が収納容器の背面壁に直接当たらず
に、庫内に冷気が拡散することで、収納容器内部の温度差を抑え、野菜室内にミストを噴霧した場合であっても野菜室内部が結露しにくくすることができる。
【００１７】
第２の発明は、貯蔵室吐出口から流出した冷気が収納容器の背面壁とほぼ平行に上から下に吐出させたものである。
【００１８】
これによって、前記背面壁にあたる冷気の面積を少なくでき、貯蔵室吐出口から流出した冷気が収納容器に直接あたらずに、庫内に冷気が拡散することで、収納容器内部の温度差を抑え、野菜室内部が結露しにくくすることができる。
【００１９】
第３の発明は、貯蔵室吐出口から流出した冷気が収納容器の背面壁とほぼ平行に左側方向から右側方面に吐出させたものである。
【００２０】
これによって、前記貯蔵室吐出口が貯蔵室の左側に設置してある構成とし、貯蔵室吐出口から流出した冷気が収納容器に直接あたらずに、庫内に冷気が拡散することで、収納容器内部の温度差を抑え、野菜室内部が結露しにくくすることができる。
【００２１】
第４の発明は貯蔵室吐出口から流出した冷気が収納容器の背面壁とほぼ平行に右側方面方向から左側方面に吐出させたものである。
【００２２】
これによって、前記貯蔵室吐出口が貯蔵室の右側に設置してある構成とし、貯蔵室吐出口から流出した冷気が収納容器に直接あたらずに、庫内に冷気が拡散することで、収納容器内部の温度差を抑え、野菜室内部が結露しにくくすることができる
第５の発明は、貯蔵室吐出口から流出した冷気が収納容器と逆方向に吐出させたものである。
【００２３】
これによって、前記貯蔵室吐出口から流出した冷気が収納容器と逆方向に当り、収納容器の背面壁に直接当たらずに、庫内に冷気が拡散することで、収納容器内部の温度差を抑え、野菜室内部が結露しにくくすることができる。
【００２４】
第６の発明は、貯蔵室吐出口から流出した冷気が収納容器に直接当たらないように収納容器の外側に防護壁を備えたものである。
【００２５】
これによって、前記貯蔵室吐出口から流出した冷気が収納容器の外側に設けた壁に当ることで、収納容器の背面壁に直接冷気が当たらずに、庫内に冷気が拡散することで、収納容器内部の温度差を抑え、野菜室内部が結露しにくくすることができる。
【００２６】
第７の発明は、貯蔵室吐出口から流出した冷気が、収納容器の下を通り、貯蔵室の上部に設置された貯蔵室吸込風路から排出させるようにしたものである。
【００２７】
これによって、前記貯蔵室吐出口から流出した冷気が収納容器の下を通り、貯蔵室の上部に設置された貯蔵室吸込風路から排出させることで、冷気が貯蔵室の下に溜まることなく貯蔵室の上部に巻き上がり冷気とミストを貯蔵室全体に拡散することができる。
【００２８】
第８の発明は、冷蔵庫本体は第１の貯蔵室と、第２の貯蔵室と、前記第１の貯蔵室と前記第２の貯蔵室をつなぎ前記第１の貯蔵室から前記第２の貯蔵室へ冷気を送る風路と、前記第２の貯蔵室へ冷気を導入する貯蔵室吐出口と、前記第２の貯蔵室内に設けられた収納容器と、前記第１の貯蔵室内にミストを噴霧するミスト噴霧手段とを有し、前記第２の貯蔵室吐出口を前記収納容器の背面壁に対向しないように配置したものである。
【００２９】
これによって、ミスト噴霧手段が第２の貯蔵室にあり、第２の貯蔵室内でミストが拡散し、さらに風路を経由して、前記貯蔵室吐出から流出したミストを含んだ冷気が収納容器の外側に設けた壁に当ることで、収納容器の背面壁に直接冷気が当たらずに、庫内に冷気が拡散することで、収納容器内部の温度差を抑え、野菜室内部が結露しにくくすることができる。
【００３０】
第９の発明は、貯蔵室吐出口から流出したミストを含んだ冷気が、収納容器の下を通り、貯蔵室の上部に設置された貯蔵室吸込風路から排出させるようにしたものである。
【００３１】
これによって、前記貯蔵室吐出口から流出したミストを含んだ冷気が収納容器の下を通り、貯蔵室の上部に設置された貯蔵室吸込風路から排出させることで、冷気が貯蔵室の下に溜まることなく貯蔵室の上部に巻き上がり冷気とミストを貯蔵室全体に拡散することができる。
【００３２】
以下、本発明の実施の形態について、図面を参照しながら説明するが、従来例または先に説明した形態と同一形成については同一符号を付して、その詳細な説明は省略する。なお、この実施の形態によってこの発明が限定されるものではない。
【００３３】
（実施の形態１）
図１は、本発明の実施の形態１における冷蔵庫貯蔵室の縦断面図であり、図２は、同実施の形態における冷蔵庫の正面図である。
【００３４】
図１、図２において、冷蔵庫本体１０１は外箱１１８と内箱１１９とで構成され、内部には例えば硬質発泡ウレタンなどの発泡断熱材１２０が充填され周囲と断熱され、複数の貯蔵室に区分されている。最上段に第一の貯蔵室としての冷蔵室１２１、その冷蔵室１２１の下部に第四の貯蔵室としての上段冷凍室１２２と第五の貯蔵室としての製氷室１２３が横並びに設けられ、その上段冷凍室１２２と製氷室１２３の下部に第三の貯蔵室としての下段冷凍室１２５、そして最下部に第二の貯蔵室としての野菜室１２４が配置される構成となっている。
【００３５】
冷蔵室１２１は冷蔵保存のために凍らない温度を下限に通常１℃〜５℃としている。また、野菜室１２４は冷蔵室１２１と同等もしくは若干高い温度設定の２℃〜７℃とすることが多い。低温にするほど葉野菜の鮮度を長期間維持することが可能である。上段冷凍室１２２と下段冷凍室１２５は冷凍温度帯に設定されており、冷凍保存のために通常−２２℃〜−１５℃で設定されているが、冷凍保存状態の向上のために、例えば−３０℃や−２５℃の低温で設定されることもある。
【００３６】
製氷室１２３は、冷蔵室１２１内の貯水タンク（図示せず）から送られた水で室内上部に設けられた自動製氷機（図示せず）で氷を作り、室内下部に配置した貯氷容器（図示せず）に貯蔵しておくスペースであり、上段冷凍室１２２に並設された間口の小さい独立扉を備えた貯蔵室であり、引き出し式の扉を備えることが多い。
【００３７】
冷蔵庫本体１０１の天面部は冷蔵庫の背面方向に向かって階段状に凹みを設けた形状であり、この階段状の凹部に機械室１２６を形成して圧縮機１２７、水分除去を行うドライヤ（図示せず）等の冷凍サイクルの高圧側の構成部品が収納されている。すなわち、圧縮機１２７を配設する機械室１２６は、冷蔵室１２１内の最上部の後方領域に食い込んで形成されることになる。手が届きにくくデッドスペースとなっていた冷蔵庫本体１０１の最上部の貯蔵室の後方領域に機械室１２６を設けて圧縮機１２７を配置することにより、従来の冷蔵庫で、使用者が使い易い冷蔵庫本体１０１の最下部にあった機械室のスペースを貯蔵室容量として有効に転化することができ、収納性や使い勝手を大きく改善することが
できる。
【００３８】
なお、本実施の形態における、以下に述べる発明の要部に関する事項は、従来一般的であった冷蔵庫本体１０１の最下部の貯蔵室の後方領域に機械室を設けて圧縮機１２７を配置するタイプの冷蔵庫に適用しても構わない。
【００３９】
上段冷凍室１２２と製氷室１２３、下段冷凍室１２５の背面には冷却室１２８が設けられ、冷却室１２８は断熱性を有する第一の冷却ダクト１２９により上段冷凍室１２２、製氷室１２３及び下段冷凍室１２５と仕切られている。冷却室１２８内には、代表的なものとしてフィンアンドチューブ式の冷却器１３０が配設されており、冷却器１３０の上部空間には強制対流方式により冷却器１３０で冷却した冷気を冷蔵室１２１、上段冷凍室１２２、製氷室１２３、野菜室１２４、下段冷凍室１２５に送風する冷却ファン１３１が配置され、冷却器１３０の下部空間には冷却時に冷却器１３０や冷却ファン１３１に付着する霜を除霜する装置としてのガラス管製のラジアントヒータ１３２が設けられている。
【００４０】
第一の冷却ダクト１２９の外周には冷気、水漏れがないように、例えば軟質フォーム等のシール材が貼り付けられている。下段冷凍室１２５と野菜室１２４を仕切る第一の仕切壁１３３は硬質発泡ウレタンなどの発泡断熱材１２０が発泡充填されている。
【００４１】
冷蔵室１２１と上段冷凍室１２２、製氷室１２３を仕切る第三の仕切壁１４０は、内部に硬質発泡ウレタンなどの発泡断熱材２０が発泡充填されており、第三の仕切壁１４０の奥部には発泡ポリスチレン等の断熱材１３７で成形され冷蔵室１２１を冷却するための冷気が送風される連結風路１５０が形成され、その風路内には冷蔵室１２１の冷気の流れを調節するダンパー装置としてのシングルダンパー１３９が設けられている。
【００４２】
冷蔵室１２１の背面には冷蔵室１２１の庫内に冷気を送風するための第三の冷却ダクト１４３が取り付けられており、第三の冷却ダクト１４３と第三の仕切壁１４０との接合面には、冷気、水漏れがないようにシール材が貼り付けられている。
【００４３】
第一の冷却ダクト１２９と第三の冷却ダクト１４３は取り外しが可能であるが、第一の仕切壁１３３と第三の仕切壁１４０は冷蔵庫本体１０１のウレタン発泡前に取り付けられたものであるため取り外しができず、発泡断熱材１２０によって冷蔵庫本体１０１と強固に接合されている。
【００４４】
また、第一の冷却ダクト１２９の内部には冷蔵室１２１と、上段冷凍室１２２と、製氷室１２３と、下段冷凍室１２５を冷却するための冷気を送風する風路１４１が設けられている。さらに、冷蔵室１２１からの冷気を野菜室１２４に送風する冷蔵室用帰還風路１４２が設けられ、下段冷凍室１２５と野菜室１２４を仕切る硬質発泡ウレタンなどの発泡断熱材１２０が発泡充填された第一の仕切壁１３３の奥部には、発泡ポリスチレン等の断熱材１３７で成形された連結風路１５１と冷蔵室用帰還風路１４２が軟質フォーム等のシール材でシールされている。また、第一の冷却ダクト１２９には上段冷凍室１２２内に冷気を吐出する上段冷凍室用吐出口１５２、製氷室１２３内に冷気を吐出する製氷室用吐出口１５４、下段冷凍室１２５内に冷気を吐出する下段冷凍室用吐出口１４７が設けられ、上段冷凍室１２２、製氷室１２３、下段冷凍室１２５内で熱交換された冷気を冷却器１３０に戻す冷凍室用吸込口１４９が設けられている。
【００４５】
野菜室１２４の背面には野菜室用吐出風路１４４が備えられ、野菜室用吐出口１４５が野菜室１２４内の収納容器である上段収納容器１６５および下段収納容器１６４のどちらとも対向しない位置に設けられ、野菜室１２４の天面である第一の仕切壁１３３の下面には野菜室用吸込風路１４８と野菜室用吸込口１４６が設けられている。
【００４６】
野菜室１２４の天面には、野菜室の１２４の奥行き方向にミスト噴霧手段１６７がその一部を埋設して備えられている。このように野菜室１２４にミスト噴霧手段１６７が備えられており、野菜室１２４外から冷気吐出口である野菜室用吐出口１４５を通って冷気が流入し、冷気吸入口である野菜室用吸込口１４６を通って野菜室１２４外へと冷気が流出することで、野菜室１２４内には、野菜室用吐出口１４５から流入した後、主に野菜室１２４に備えられた収納容器の外側を流れて野菜室用吸込口１４６を通って野菜室１２４外へと冷気が流出する冷気流通経路が形成され、この冷気流通経路上のより下流側にミスト噴霧手段１６７が備えられている。
【００４７】
このように、野菜室内においてミストが充満している収納容器内には直接冷気が流入せずに収納容器外側を通過する冷気によって収納容器内部は間接的に冷却されるようになっている。
【００４８】
野菜室１２４は、その前面開口部を開放可能な扉１６２にて外気の流入が無いように閉塞されている。この扉１６２には左右一対で野菜室１２４内に延伸された板状のスライドレール１６３が設けられており、この上に下段収納容器１６４が載置されている。扉１６２はこのスライドレール１６３の可動方向に沿って水平方向に引き出して開閉され、それに伴い下段収納容器１６４も稼動して引き出される。さらに、下段収納容器１６４には上段収納容器１６５が載置されており、下段収納容器１６４と同時に可動することになる。この時、上段収納容器１６５の底面面積は下段収納容器１６４の底面面積よりも小さく構成されている。また、上段収納容器１６５にはその一部に複数の空気流通穴１６８が設けられている。本実施の形態ではこの上段収納容器１６５と下段収納容器１６４を前後方向に空間を設けて配置し、この空間内に比較的背の高い食品、例えばＰＥＴボトルや白菜等の長物野菜を収納可能としている。
【００４９】
また、野菜室１２４内には蓋１６６が配置されており、扉１６２が閉じている場合には上段収納容器１６５の上面開放部を閉塞する。さらに、扉１６２の開放時には蓋１６６は野菜室１２４内に残り、引き出されることはない。また、蓋１６６には、第一の仕切壁１３３に取り付けられたミスト噴霧手段１６７の真下に相当する部分にミスト噴霧手段１６７から噴霧されたミストが上段収納容器１６５に流入するようにミスト噴霧口１６９が開口している。
【００５０】
また、野菜室用吐出口１４５が野菜室１２４内の収納容器である上段収納容器１６５および下段収納容器１６４のどちらとも対向しない位置に設けられていることで、野菜室用吐出口１４５から流出する冷気を、下段収納容器１６４の背面壁に直接当らないように構成されている。
【００５１】
以上のように構成された冷蔵庫について、以下その動作、作用を説明する。
【００５２】
まず、冷凍サイクルの動作について説明する。庫内の設定された温度に応じて制御基板（図示せず）からの信号により冷凍サイクルが動作して冷却運転が行われる。圧縮機１２７の動作により吐出された高温高圧の冷媒は、凝縮器（図示せず）にて放熱して凝縮液化し、キャピラリーチューブ（図示せず）に至る。その後、キャピラリーチューブでは圧縮機１２７への吸入管（図示せず）と熱交換しながら減圧されて低温低圧の液冷媒となって冷却器１３０に至る。冷却ファン１３１の動作により、各貯蔵室内の空気と熱交換されて冷却器１３０内の冷媒は蒸発気化し、低温の冷気をダンパーなどで供給制御することで各室の所望の冷却を行う。冷却器１３０を出た冷媒は吸入管を経て圧縮機１２７へと吸い込まれる。
【００５３】
各貯蔵室内の空気と熱交換されて冷却器１３０には、各貯蔵室内空気と熱交換した時に水分が付着し霜となる。制御基板（図示せず）から定期的に信号が出力され、圧縮機１２７を停止させ、ラジアントヒータ１３２に通電し、冷却器１３０の除霜を行う。
【００５４】
次に冷蔵庫本体１０１内の冷気の流れについて説明する。冷却ファン１３１から送風された冷気は、風路１４１を通じ下方と上方に振り分けられて送風される。下方に振り分けられた冷気は、下段冷凍室用吐出口１４７から冷凍室１２５内に吐出され、冷凍室１２５内の空気と熱交換し冷凍室用吸込口１４９を通って冷却室１２８に戻る。
【００５５】
冷却ファン１３１から送風された冷気の内、上方に振り分けられた冷気はさらに上段冷凍室１２２、製氷室１２３、冷蔵室１２１に細分され、上段冷凍室１２２と製氷室１２３にはそれぞれ上段冷凍室用吐出口１５２と製氷室用吐出口１５４から吐出され熱交換した後冷凍室用吸込口１４９を通って冷却室１２８に戻る。また冷蔵室１２１用に振り分けられた冷気は、連結風路１５０内に設けられたシングルダンパー１３９を経由し第三の冷却ダクト１４３を通り冷蔵室１２１内に吐出される。ここで制御基板（図示せず）から信号を出力しシングルダンパー１３９を動作させ、冷気の流れをコントロールし、冷蔵室１２１の温度制御を行い所定の温度に庫内温度を調整する。
【００５６】
冷蔵室１２１内で熱交換された冷気は、冷蔵室用帰還風路１４２を通り第一の仕切壁１３３の奥部に形成された連結風路１５１を経由し、野菜室用吐出風路１４４、野菜室用吐出口１４５から野菜室に１２４内に吐出される。野菜室に１２４内の空気と熱交換した冷気は、野菜室用吸込口１４６から吸い込まれ野菜室用吸込風路１４８を通り冷却室１２８に戻る。この一連の動作でも分かるように野菜室１２４は冷蔵室１２１の戻り冷気を利用して冷却していることになる。
【００５７】
野菜室１２４に備えられた上段収納容器１６５には蓋１６６がその上方開口部を閉塞しており、収納食品に直接冷気があたり、乾燥することを防いでいるので、収納容器内においては温度、湿度ともに比較的高めになっている。
一方で、下段収納容器１６４と上段収納容器１６５の前後方向での空間には、一般にＰＥＴボトル等の飲料が置かれることが多く、この部分には冷気が直接触れることになり、冷却スピードを確保していることで、この飲料収納部においては、上記のようなミストが噴霧される収納容器内と比較すると温度、湿度共に低くなっている。
【００５８】
下段収納容器１６４内部に収納された食品からは、投入時からの時間経過に伴い水分が蒸散する。この時蒸散した水分を含んだ空気は、野菜室１２４内に吐出された冷気の流れに乗り野菜室用吸込口１４６近傍に配置されたミスト噴霧手段１６７へと到達する。ミスト噴霧手段１６７は野菜室１２４の上部に位置する下段冷凍室１２５によりその内部が周囲温度よりも低く冷却されており、ミスト噴霧手段１６７内部で空気中の水分が結露することになる。この結露した水を蓋１６６に開口されたミスト噴霧口１６９から収納容器内部にミスト状に噴霧する。結果、収納食品からの蒸散水はミスト噴霧手段１６７により、再び収納食品自体に返されることになる。
【００５９】
また、ミスト噴霧手段１６７を野菜室１２４の天面である野菜室１２４の奥行き方向に設置し、さらに蓋１６６にはミスト噴霧手段１６７の直下に相当する部位にミスト噴霧口１６９を開口させていることにより、下段収納容器１６４内部に収納された食品のみならず上段収納容器１６５内部に収納された食品から蒸散した水分を、野菜室１２４内に吐出された冷気の流れに乗り野菜室用吸込口１４６近傍に配置されたミスト噴霧手段１６７に結露することになる。さらにミスト噴霧手段１６７が野菜室１２４の天面である野菜室１２４の奥行き方向に設置していることにより、上段収納容器１６５と下段収納容器１６４の背面の間隙から野菜室１２４内に流出する水分もミスト噴霧手段１６７に結露すること
になる。
【００６０】
このように野菜室１２４内には、野室用吐出口１４５と野菜室用吸込口１４６との間にミスト噴霧手段１６７が備えられており、野菜室１２４外から冷気吐出口である野室用吐出口１４５を通って冷気が流入し、冷気吸入口である野菜室用吸込口１４６を通って野菜室１２４外へと冷気が流出することで、野菜室１２４内には、野菜室用吸込口１４６から流入した後、主に野菜室１２４に備えられた収納容器の外側を流れて野菜室用吸込口１４６を通って野菜室１２４外へと冷気が流出する冷気流通経路が形成され、この冷気流通経路上のより下流側である野菜室用吸込口１４６側にミスト噴霧手段１６７が備えられている。また、ミスト噴霧手段１６７は野菜室１２４の天面である第一の仕切壁１３３の野菜室１２４の奥行き方向における中心線上１７１もしくは中心線１７１より奥方向に設置し、さらに蓋１６６にはミスト噴霧手段１６７の直下に相当する部位にミスト噴霧口１６９を開口させている。
【００６１】
この時噴霧されるミスト粒子は、例えば０．００５μｍ〜２０μｍ程度であり非常に微細なものである。なお、ミスト噴霧手段１６７には、例えば超音波により水を微粒子化して噴霧するもの、静電霧化方式によるもの、ポンプ方式で噴霧するもの等を用いればよい。
【００６２】
このようにしてＰＥＴボトルのような飲料を収納する飲料収納部は冷却スピードを上げるために吐出冷気で直接的に冷却し、かつ、葉野菜のように萎れが気になる食品については収納食品に直接冷気があたり、乾燥することを防いでさらにミスト噴霧により鮮度を維持することで収納箇所によって食品の特性に応じた冷却を行うことができる。
【００６３】
この時、図示はしないが野菜室１２４内部の側壁はヒータ等の加熱手段で適度に加熱されており、収納容器外へ拡散したミスト粒子および、野菜からの蒸散水が結露することは無い。また、上段収納容器１６５の空気流通穴１６８は、上段収納容器１６５内の過剰な結露を防ぐ役割を果たしている。
【００６４】
このように、ミストを噴霧する収納容器である上段収納容器１６５および下段収納容器１６４内の収納食品には直接冷気があたらないので、乾燥を防いでいるので、収納容器内においては温度、湿度ともに比較的高めになっており、冷気が通る収納容器外側との温度差が生じる。
【００６５】
よって、収納容器内外において温度差が出来易くなっており、特に収納容器内にミストが供給されている場合においては、収納容器内部での結露の可能性があるが、本実施の形態のように野菜室用吐出口１４５が野菜室１２４内の収納容器である上段収納容器１６５および下段収納容器１６４のどちらとも対向しない位置に設けられている構成、すなわち、野菜室用吐出口１４５から上から下に流出する冷気を、下段収納容器１６４の背面壁に直接当らないように構成されていることにより、下段収納容器１６４の庫内や背面に当る冷気が拡散することで、収納容器の温度分布差を抑え、高湿化された野菜室内部が著しく温度が下がることを防止したことで結露しにくくすることができる。
【００６６】
この時、下段収納容器内と上段収納容器を密閉するしきりはなく、蓋１６６が下段収納容器全体を覆う大きさであり、下段収納容器１６４の蓋の役割を上段収納容器１６５が担うことで下段収納容器内の密閉性が確保されており、高湿状態を維持している。
【００６７】
以上のように、本実施の形態においては、野菜室用吐出口１４５が野菜室１２４内の収納容器である上段収納容器１６５および下段収納容器１６４のどちらとも対向しない位置に設けられている構成にすることで、野菜室用吐出口から流出した冷気が野菜室用下段収
納容器の背面壁に直接当たらないようにすることができ、野菜室用吐出口から流出した冷気により野菜室用下段収納容器の温度が極端に下がることはなく、温度分布差が少なくなるため、野菜室用下段収納容器に結露の発生を防止することができる。これにより、野菜室用下段収納容器内を高湿に保ちながら、野菜室用下段収納容器内の結露の発生を防止することができる。
【００６８】
なお、野菜室用吐出口から流出した冷気は、野菜室用下段収納容器の背面壁とほぼ平行に吐出させた方向がより効果的に貯蔵室内の結露を防ぐことができる。
【００６９】
（実施の形態２）
図３は、本発明の実施の形態２における冷蔵庫貯蔵室の縦断面図であり、図４は、同実施の形態における冷蔵庫の正面図である。
【００７０】
本実施の形態においては、実施の形態１と同様の構成については、同符号を付与して説明を省略し、また実施の形態１と共通する技術思想および構成や作用効果については逐一述べないが、本実施の形態に適用して不合理が生じる事項でない限り、同様の内容が含まれているとするものである。
【００７１】
野菜室１２４内の貯蔵室吐出口である野菜室用吐出口１４５は、冷蔵庫右側のスペースを広く使用できるようにする等のために冷蔵庫正面向かって右側に設置されており、野菜室吐出口１４５から流出する冷気を収納容器の背面壁とほぼ平行に左側方向から右側方面に吐出させて、下段収納容器１６４の背面壁に直接当らないように構成されている。
【００７２】
以上のように構成された冷蔵庫について、以下その動作、作用を説明する。
【００７３】
野菜室用吐出口１４５は、冷蔵庫右側のスペースを広く使用できるようにする等のために冷蔵庫正面向かって左側に設置されており、野菜室吐出口１４５から流出する冷気を収納容器の背面壁とほぼ平行に左側方向から右側方面に吐出させて、野菜室吐出口１４５を収納容器の背面壁に対向しないように配置したので、下段収納容器１６４の背面壁に直接当らないように構成されているので、下段収納容器１６４の一部分が集中的に野菜室吐出口１４５から吐出された冷気によって冷却することで温度が低下することを防ぎ、下段収納容器１６４の庫内や背面に当る冷気が拡散することで、収納容器の温度分布差を抑え、高湿化された野菜室内部が著しく温度が下がることを防止したことで結露しにくくすることができる。
【００７４】
以上のように、本実施の形態においては、冷蔵室、上段冷凍室、製氷室、下段冷凍室、野菜室等の貯蔵室を有する冷蔵庫本体と、貯蔵室の前面開口部を閉塞する扉と、野菜室内に設けられ、食品を収納し互いに上下に配置される複数の収納容器と、貯蔵室内を冷却する冷気を生成する冷却器と、貯蔵室内に冷気を吐出する冷気吐出口と、貯蔵室内を冷却した冷気を冷却器に帰還させる冷気吸込口と、野菜室の天面奥行き方向に設置されたミスト噴霧手段と、収納容器の上面に蓋とを有し、扉が閉まっている状態において、野菜室用吐出口から流出した冷気を野菜室用下段収納容器の背面壁とほぼ平行に左側方面から右側方面に吐出させて、野菜室用下段収納容器に直接当たらないようにすることで、野菜室用吐出口から流出した冷気により野菜室用下段収納容器の温度が極端に下がることはなく、温度分布差が少なくなるため、野菜室用下段収納容器に結露の発生を防止することができる。これにより、野菜室用下段収納容器内を高湿に保ちながら、野菜室用下段収納容器内の結露の発生を防止することができる。
【００７５】
なお、本実施の形態では、図５の冷蔵庫正面図に示すように、左側スペースを広く使用できるようにする等のために冷蔵庫正面向かって右側に設置し、野菜室吐出口１４５から
流出する冷気を収納容器の背面壁とほぼ平行に右側方向から左側方面に吐出させて、下段収納容器１６４の背面壁に直接当らないように構成されていることにより、下段収納容器１６４の庫内や背面に当る冷気が拡散することで、収納容器の温度分布差を抑え、高湿化された野菜室内部が著しく温度が下がるようなことを防止したことで結露しにくくしてもよい。
【００７６】
（実施の形態３）
図６は、本発明の実施の形態３における冷蔵庫貯蔵室の縦断面図である。
【００７７】
本実施の形態においては、実施の形態１と同様の構成については、同符号を付与して説明を省略し、また実施の形態１および２と共通する技術思想および構成や作用効果については逐一述べないが、本実施の形態に適用して不合理が生じる事項でない限り、同様の内容が含まれているとするものである。
【００７８】
野菜室１２４内の貯蔵室吐出口である野菜室用吐出口１４５から流出する冷気を、下段収納容器１６４の背面壁に直接当らないように、下段収納容器１６４と逆方向に吐出させるように構成されている。
【００７９】
以上のように構成された冷蔵庫について、以下その動作、作用を説明する。
【００８０】
野菜室用吐出口１４５から上から下に流出する冷気を、下段収納容器１６４と逆方向に吐出させるように構成させることにより、野菜室吐出口１４５を収納容器の背面壁に対向しないように配置したので、下段収納容器１６４の背面壁に直接当らないようにすることができ、高湿化された収納容器に著しく温度が下がることを防止したことで結露しにくくすることができる。
【００８１】
以上のように、本実施の形態においては、冷蔵庫本体は貯蔵室と、貯蔵室内へ冷気を導入する貯蔵室吐出口と、貯蔵室の前面開口部を閉塞する扉と、貯蔵室内に設けられた収納容器と、収納容器内にミストを噴霧するミスト噴霧手段と、収納容器の上面に蓋を有し、扉が閉まっている状態において、貯蔵室吐出口を収納容器の背面壁に対向しないように配置したことで、野菜室用吐出口から流出した冷気が野菜室用下段収納容器の背面壁に直接当たらないようになり、野菜室用吐出口から流出した冷気により野菜室用下段収納容器の温度が極端に下がることはなく、温度分布差が少なくなるため、野菜室用下段収納容器に結露の発生を防止することができる。
【００８２】
これにより、ミストが噴霧されている収納容器である野菜室用下段収納容器内を高湿に保ちながら、野菜室用下段収納容器内の結露の発生を防止することができる。
【００８３】
（実施の形態４）
図７は、本発明の実施の形態４における冷蔵庫貯蔵室の縦断面図である。
【００８４】
本実施の形態においては、実施の形態１と同様の構成については、同符号を付与して説明を省略し、また実施の形態１から３と共通する技術思想および構成や作用効果については逐一述べないが、本実施の形態に適用して不合理が生じる事項でない限り、同様の内容が含まれているとするものである。
【００８５】
野菜室１２４内の貯蔵室吐出口である野菜室用吐出口１４５から流出する冷気を、下段収納容器１６４の背面壁に直接冷気が当らないように防護壁１７０が設置されている。
【００８６】
以上のように構成された冷蔵庫について、以下その動作、作用を説明する。
【００８７】
野菜室用吐出口１４５から上から下に流出する冷気を、下段収納容器１６４の背面壁に直接当らないように防護壁１７０が構成されていることにより、下段収納容器１６４の庫内や背面に当る冷気が直接当らないことで、収納容器の温度分布差を抑え、高湿化された野菜室内部が著しく温度が下がることを防止したことで結露しにくくすることができる。
【００８８】
以上のように、本実施の形態においては、冷蔵庫本体は貯蔵室と、貯蔵室内へ冷気を導入する貯蔵室吐出口と、貯蔵室の前面開口部を閉塞する扉と、貯蔵室内に設けられた収納容器と、収納容器内にミストを噴霧するミスト噴霧手段と、収納容器の上面に蓋を有し、扉が閉まっている状態において、貯蔵室吐出口を収納容器の背面壁に対向しないように配置したことで、野菜室用吐出口から流出した冷気が野菜室用下段収納容器の背面壁に直接当たらないようになり、野菜室用吐出口から流出した冷気により野菜室用下段収納容器の温度が極端に下がることはなく、温度分布差が少なくなるため、野菜室用下段収納容器に結露の発生を防止することができる。これにより、野菜室用下段収納容器内を高湿に保ちながら、野菜室用下段収納容器内の結露の発生を防止することができる。
【００８９】
（実施の形態５）
図８は、本発明の実施の形態５における冷蔵庫貯蔵室の縦断面図であり、図９は本実施の形態５における別形態の冷蔵庫貯蔵室の縦断面図である。
【００９０】
本実施の形態においては、実施の形態１と同様の構成については、同符号を付与して説明を省略し、また実施の形態１から４と共通する技術思想および構成や作用効果については逐一述べないが、本実施の形態に適用して不合理が生じる事項でない限り、同様の内容が含まれているとするものである。
【００９１】
野菜室１２４内の貯蔵室吐出口である野菜室用吐出口１４５から流出する冷気を、下段収納容器１６４の背面壁に直接当らないよう野菜室吐出口１４５を下方に向かって吐出するように形成することで収納容器の背面壁に対向しないように配置されている。
【００９２】
以上のように構成された冷蔵庫について、以下その動作、作用を説明する。
【００９３】
野菜室用吐出口１４５から上から下に流出する冷気を、下段収納容器１６４の背面壁に直接当らないように構成されていることにより、下段収納容器１６４の庫内や背面に当る冷気が拡散することで、収納容器の温度分布差を抑え、高湿化された野菜室内部が著しく温度が下がることを防止したことで結露しにくくすることができる。
【００９４】
以上のように、本実施の形態においては、冷蔵庫本体は貯蔵室と、貯蔵室内へ冷気を導入する貯蔵室吐出口と、貯蔵室の前面開口部を閉塞する扉と、貯蔵室内に設けられた収納容器と、収納容器内にミストを噴霧するミスト噴霧手段と、収納容器の上面に蓋を有し、扉が閉まっている状態において、貯蔵室吐出口を収納容器の背面壁に対向しないように配置したことで、野菜室用吐出口から流出した冷気が野菜室用下段収納容器の背面壁に直接当たらないようにすることで、野菜室用吐出口から流出した冷気により野菜室用下段収納容器の温度が極端に下がることはなく、温度分布差が少なくなるため、野菜室用下段収納容器に結露の発生を防止することができる。これにより、野菜室用下段収納容器内を高湿に保ちながら、野菜室用下段収納容器内の結露の発生を防止することができる。
【００９５】
（実施の形態６）
図１は、本発明の実施の形態６における冷蔵庫貯蔵室の縦断面図であり、図２は、本実施の形態６における冷蔵庫貯蔵室の正面図である。
【００９６】
本実施の形態においては、実施の形態１と同様の構成については、同符号を付与して説明を省略し、また実施の形態１から５と共通する技術思想および構成や作用効果については逐一述べないが、本実施の形態に適用して不合理が生じる事項でない限り、同様の内容が含まれているとするものである。
【００９７】
野菜室１２４内の貯蔵室吐出口である野菜室用吐出口１４５から流出する冷気を、下段収納容器１６４の背面壁に直接当らないよう野菜室吐出口１４５を下方に向かって吐出するように形成することで収納容器の背面壁に対向しないように配置されており、野菜室用吸込口が貯蔵室の上部に設置されている。
【００９８】
以上のように構成された冷蔵庫について、以下その動作、作用を説明する。
【００９９】
野菜室用吐出口１４５から排出された冷気は、ミスト噴霧手段１６７から噴霧されたミストを含み、下段収納容器１６４の外側の壁をつたって下向きに流れ、その後、下段収納容器１６４と野菜室１２４の間である野菜室１２４の底の冷気を巻き上げ、ミストを含んだ冷気は上向きに流れ、野菜室１２４の上部にある野菜室用吸込口１４６に吸い込まれる。
【０１００】
このように、ミストを含んだ冷気が、貯蔵室１２４の下に溜まることなく貯蔵室の上部に巻き上がり、冷気とミストを貯蔵室全体に拡散することができる。ミスト噴霧手段は、超音波方式でもよく、静電霧化方式でもよい。また、ミスト噴霧手段から発生したオゾンなどの気体も野菜室１２４の底に溜まることがなく、野菜室１２４全体に拡散することができる。オゾンは、０．１ｐｐｍ以上の高濃度では人体に害があるといわれ、また空気よりも重いため、無風状態では底に溜まりやすい物質である。しかし、冷気と共に上部へ巻き上がることで、野菜室１２４の底に溜まり濃度が著しく高くならないよう、野菜室１２４全体に拡散することができる。
【０１０１】
以上のように、本実施の形態においては、冷蔵庫本体は貯蔵室と、貯蔵室内へ冷気を導入する貯蔵室吐出口と、貯蔵室の前面開口部を閉塞する扉と、貯蔵室内に設けられた収納容器と、収納容器内にミストを噴霧するミスト噴霧手段と、収納容器の上面に蓋を有し、扉が閉まっている状態において、貯蔵室吐出口を収納容器の背面壁に対向しないように配置し、野菜室用吐出口１４５から流出した冷気が下段収納容器１６４の下を通り、野菜室１２４の上部に設置された野菜室用吸込口１４６から吸い込ませることで、ミストやオゾンを含んだ冷気が野菜室１２４の下に溜まることなく、野菜室１２４室の上部に巻き上がり、ミストやオゾンを含んだ冷気を野菜室１２４全体に拡散することができる。
【０１０２】
（実施の形態７）
図１０は、本発明の実施の形態７における冷蔵庫貯蔵室の縦断面図であり、図１１は、本実施の形態７における冷蔵庫貯蔵室の正面図である。
【０１０３】
本実施の形態においては、実施の形態１と同様の構成については、同符号を付与して説明を省略し、また実施の形態１から６と共通する技術思想および構成や作用効果については逐一述べないが、本実施の形態に適用して不合理が生じる事項でない限り、同様の内容が含まれているとするものである。
【０１０４】
冷蔵室１２１の上部にミスト噴霧手段１６７を有し、ミスト噴霧手段１６７は、その一部を埋没して備えられている。冷気は、第３の冷却ダクト１４３から排出され、ミスト噴霧手段１６７から噴霧されたミストは冷気と共に、冷蔵室１２１全体に拡散する。その後、ミストを含んだ冷気は、冷蔵室用帰還風路１４２と風路１４１を通って、さらに野菜室用吐出風路１４４を通り、野菜室用吐出口１４５から野菜室１２４に排出される。また、
野菜室用吐出口１４５が野菜室１２４内の収納容器である上段収納容器１６５および下段収納容器１６４のどちらとも対向しない位置に設けられていることで、野菜室用吐出口１４５から流出する冷気を、下段収納容器１６４の背面壁に直接当らないように構成されている。
【０１０５】
以上のように構成された冷蔵庫について以下その動作、作用を説明する。
【０１０６】
冷蔵室１２１の冷気は、第３の冷却ダクト１４３から排出され、ミスト噴霧手段１６７から噴霧されたミストは冷気と共に、冷蔵室１２１全体に拡散する。その後、ミストを含んだ冷気は、冷蔵室用帰還風路１４２と風路１４１を通って、さらに野菜室用吐出風路１４４を通り、野菜室用吐出口１４５から野菜室１２４に排出される。野菜室用吐出口１４５が野菜室１２４内の収納容器である上段収納容器１６５および下段収納容器１６４のどちらとも対向しない位置に設けられていることで、野菜室用吐出口１４５から流出する冷気を、下段収納容器１６４の背面壁に直接当らない。
【０１０７】
これによって、ミスト噴霧手段が野菜室の上流側にある冷蔵室１４３にあることで、ミストは、冷蔵室１２１と野菜室１２４の両方に行き渡り、冷蔵室１２１と野菜室１２４でミストの効果を発揮することができる。ミスト噴霧手段は、超音波方式でもよく、静電霧化方式でもよい。この時のミストは、水を含んだラジカルであり、抗菌効果や脱臭効果がある。また、冷気は野菜室用吐出口１４５から野菜室１２４に排出される際に、ミストを含んだ冷気が収納容器の背面壁に対向しないようにしたことで、収納容器１６４の背面壁に直接冷気が当たらずに、野菜室１２４内に冷気が拡散することで、収納容器１６４内部の温度差を抑え、野菜室１２４内部が結露しにくくすることができる。
【０１０８】
以上のように、本実施の形態においては、冷蔵庫本体１０１は野菜室１２４と、野菜室１２４の上側に位置する冷蔵室１２１と、野菜室１２４と冷蔵室１２１をつなぎ冷蔵室１２１から野菜室１２４へ冷気を送る風路１４１と、野菜室１２４へ冷気を導入する野菜室用吐出口１４５と、野菜室１２４から冷気を排出する野菜室用吸込口１４６と、野菜室１２４に設けられた下段収納容器１６４と、冷蔵室１２１内にミストを噴霧するミスト噴霧手段１６７とを有し、野菜室吐出口１４５を下段収納容器１６４の背面壁に対向しないように配置するようにしたことで、収納容器の背面壁に直接冷気が当たらずに、野菜室１２４内に冷気が拡散することで、収納容器内部の温度差を抑え、野菜室内部が結露しにくくすることができる。
【０１０９】
（実施の形態８）
図１０は、本発明の実施の形態８における冷蔵庫貯蔵室の縦断面図であり、図１１は、本実施の形態８における冷蔵庫貯蔵室の正面図である。
【０１１０】
本実施の形態においては、実施の形態１と同様の構成については、同符号を付与して説明を省略し、また実施の形態１から７と共通する技術思想および構成や作用効果については逐一述べないが、本実施の形態に適用して不合理が生じる事項でない限り、同様の内容が含まれているとするものである。
【０１１１】
冷蔵室１２１の上部にミスト噴霧手段１６７を有し、ミスト噴霧手段１６７は、その一部を埋没して備えられている。冷気は、第３の冷却ダクト１４３から排出され、ミスト噴霧手段１６７から噴霧されたミストは冷気と共に、冷蔵室１２１全体に拡散する。その後、ミストを含んだ冷気は、冷蔵室用帰還風路１４２と風路１４１を通って、さらに野菜室用吐出風路１４４を通り、野菜室用吐出口１４５から野菜室１２４に排出される。また、野菜室用吐出口１４５が野菜室１２４内の収納容器である上段収納容器１６５および下段収納容器１６４のどちらとも対向しない位置に設けられており、野菜室用吐出口１４５か
ら流出する冷気を、下段収納容器１６４の背面壁に直接当らないように構成されている。また、野菜室用吸込口１４６が野菜室１２４の上部に設置されている。
【０１１２】
以上のように構成された冷蔵庫について、以下その動作、作用を説明する。
【０１１３】
冷蔵室１２１の冷気は、第３の冷却ダクト１４３から排出され、ミスト噴霧手段１６７から噴霧されたミストは冷気と共に、冷蔵室１２１全体に拡散する。その後、ミストを含んだ冷気は、冷蔵室用帰還風路１４２と風路１４１を通って、さらに野菜室用吐出風路１４４を通り、野菜室用吐出口１４５から野菜室１２４に排出される。野菜室用吐出口１４５が野菜室１２４内の収納容器である上段収納容器１６５および下段収納容器１６４のどちらとも対向しない位置に設けられていることで、野菜室用吐出口１４５から流出する冷気を、下段収納容器１６４の背面壁に直接当らない。
【０１１４】
これによって、ミスト噴霧手段が野菜室の上流側にある冷蔵室１４３にあることで、ミストは、冷蔵室１２１と野菜室１２４の両方に行き渡り、冷蔵室１２１と野菜室１２４でミストの効果を発揮することができる。また、野菜室用吐出口１４５から野菜室１２４に排出される際に、ミストを含んだ冷気が収納容器の背面壁に対向しないようにしたことで、収納容器１６４の背面壁に直接冷気が当たらずに、野菜室１２４内に冷気が拡散することで、収納容器１６４内部の温度差を抑え、野菜室１２４内部が結露しにくくすることができる。さらに、ミストを含んだ冷気が、貯蔵室１２４の下に溜まることなく貯蔵室の上部に巻き上がり、冷気とミストを貯蔵室全体に拡散することができる。ミストだけではなく、ミスト噴霧手段から発生したオゾンなどの気体も野菜室１２４の底に溜まることがなく、野菜室１２４全体に拡散することができる。オゾンは、高濃度では人体に害があるが、空気よりも重いため、無風状態では底に溜まりやすい物質である。しかし、冷気と共に上部へ巻き上がることで、野菜室１２４の底に溜まり濃度が著しく高くならないよう、野菜室１２４全体に拡散することができる。
【０１１５】
以上のように、本実施の形態においては、冷蔵庫本体１０１は野菜室１２４と、野菜室１２４の上側に位置する冷蔵室１２１と、野菜室１２４と冷蔵室１２１をつなぎ冷蔵室１２１から野菜室１２４へ冷気を送る風路１４１と、野菜室１２４へ冷気を導入する野菜室用吐出口１４５と、野菜室１２４から冷気を排出する野菜室用吸込口１４６と、野菜室１２４に設けられた下段収納容器１６４と、冷蔵室１２１内にミストを噴霧するミスト噴霧手段１６７とを有し、野菜室吐出口１４５を下段収納容器１６４の背面壁に対向しないように配置するようにしたことで、収納容器の背面壁に直接冷気が当たらずに、野菜室１２４内に冷気が拡散することで、収納容器内部の温度差を抑え、野菜室内部が結露しにくくすることができる。また、野菜室用吐出口１４５から流出した冷気が下段収納容器１６４の下を通り、野菜室１２４の上部に設置された野菜室用吸込口１４６から吸い込ませることで、ミストやオゾンを含んだ冷気が野菜室１２４の下に溜まることなく、野菜室１２４室の上部に巻き上がり、ミストやオゾンを含んだ冷気を野菜室１２４全体に拡散させることができる。
【産業上の利用可能性】
【０１１６】
以上のように、本発明にかかる冷蔵庫は、高湿を支持しながら結露を防止できるので、家庭用冷蔵庫のみならず、業務用冷蔵庫、食品保蔵庫、保冷車の用途にも適用できる。
【符号の説明】
【０１１７】
２  ファン
３  冷却器室
４  冷気
５  野菜室冷却用風路
８  冷蔵室用帰還路
９  野菜室用帰還路
１３  輻射冷却
１４  冷却器室と野菜室との仕切り部品
１５  製氷室・切替室と野菜室との仕切り部品
１６  冷凍室と野菜室との仕切り部品
２０  断熱材
１０１  冷蔵庫本体
１１８  外箱
１１９  内箱
１２０  発泡断熱材
１２１  冷蔵室
１２２  上段冷凍室
１２３  製氷室
１２４  野菜室
１２５  下段冷凍室
１２６  機械室
１２７  圧縮機
１２８  冷却室
１２９  第一の冷却ダクト
１３０  冷却器
１３１  冷却ファン
１３２  ラジアントヒータ
１３３  第一の仕切壁
１３７  発泡ポリスチレン等の断熱材
１３９  シングルダンパー
１４０  第三の仕切壁
１４１  風路
１４２  冷蔵室用帰還風路
１４３  第三の冷却ダクト
１４４  野菜室用吐出風路
１４５  野菜室用吐出口
１４６  野菜室用吸込口
１４７  下段冷凍室用吐出口
１４８  野菜室用吸込風路
１４９  冷凍室用吸込口
１５２  上段冷凍室用吐出口
１５４  製氷室用吐出口
１６２  扉（野菜室）
１６３  スライドレール
１６４  下段収納容器（野菜室）
１６５  上段収納容器（野菜室）
１６６  蓋
１６７  ミスト噴霧手段
１６８  空気流通穴
１６９  ミスト噴霧口
１７０  壁
３００  野菜室
３０１  野菜ケース
３０２  フルーツケース
【図１】
2011069598.tif 000003
【図２】
2011069598.tif 000004
【図３】
2011069598.tif 000005
【図４】
2011069598.tif 000006
【図５】
2011069598.tif 000007
【図６】
2011069598.tif 000008
【図７】
2011069598.tif 000009
【図８】
2011069598.tif 000010
【図９】
2011069598.tif 000011
【図１０】
2011069598.tif 000012
【図１１】
2011069598.tif 000013
【図１２】
2011069598.tif 000014